(57)【特許請求の範囲】
【請求項１】
Ａ．内面と外面を有する少なくとも一つの実質上非伸縮性の外側パネルであって、ｎ個（ｎは整数）の開口と該開口を覆う実質上非伸縮性の、通気性の材料とを含む通気領域を有する外側パネルと、
Ｂ．第１部分と第２部分と第３部分とを含む周辺によって規定される非通気性カバー要素であって、該カバー要素周辺の第２部分及び第３部分が該カバー要素周辺の第１部分の両端から実質上伸延し、該カバー要素は、通気領域の少なくとも一部に実質上対応する形状を有し、かつ、該カバー要素周辺の第１部分を前記外側パネルの内面に前記通気領域の第１対応部分に実質上沿って止着するための手段、並びにカバー要素周辺の第２部分を外側パネルの内面に前記通気領域の第２対応部分に実質上沿って調節自在に結合する第１の調節自在の閉鎖要素、及び前記カバー要素周辺の第３部分を外側パネルの内面に前記通気領域の第３対応部分に沿って調節自在に結合する第２の調節自在の閉鎖要素を含み、前記通気領域の第２対応部分及び第３対応部分が該通気領域の第１対応部分の両端から実質上伸延する非通気性カバー要素とを備える通気性衣服。
【請求項２】
通気性材料が有孔材料から成る請求項１に従う通気性衣服。
【請求項３】
第１及び第２閉鎖要素がジッパから成り、ジッパと通気材料との間に止着されそして通気材料の少なくとも一部を覆って横断して延在する非通気性裏当てフラップを更に含む請求項１に従う通気性衣服。
【請求項４】
カバー要素周辺の第４部分を外側パネルの内面に通気領域の第４対応部分に実質上沿って調節自在に結合するための第３閉鎖要素を更に含み、カバー要素周辺の第４部分がカバー要素周辺の第２及び第３部分の間を実質上伸延しそして通気領域の第４対応部分が該通気領域の第２及び第３対応部分の間を実質上伸延する請求項１に従う通気性衣服。
【請求項５】
外側パネルの内面における通気領域からそして通気領域の第１対応部分に実質上隣り合って延在するポケットを更に含む請求項１に従う通気性衣服。
【請求項６】
カバー要素を外側パネルの内面に止着するための手段が取り外し自在の止着要素である請求項１に従う通気性衣服。
【請求項７】
カバー要素を外側パネルの内面に止着するための手段が固定された止着要素である請求項１に従う通気性衣服。
【請求項８】
内部領域を画定してその周囲に配置される前面及び背面を有する通気性衣服であって、
Ａ．衣服の前面の少なくとも一部を形成する少なくとも一つの外側前面パネルにして、内部領域への空気の流入を許容する通気部を含む外側前面パネル、
Ｂ．衣服の背面の少なくとも一部を形成する少なくとも一つの外側背面パネル、
Ｃ．外側背面パネルから主面に沿って延在する通気パネルにして、衣服の内部領域から衣服の外部部分へと前記主面に実質上沿って空気流路を確立するための手段を含む通気パネル
を備え、
通気パネルを通して空気流路を確立するための手段が主面に沿って通気パネルを通して伸延する少なくとも一つの空気流れ導通溝を有する実質上非圧縮性の構造である通気性衣服。
【請求項９】
外側前面パネルが実質上非伸縮性である請求項８に従う通気性衣服。
【請求項１０】
外側前面パネルが内面と外面とを具備し、通気領域がｎ個（ｎは整数）の開口を含み、そして実質上非伸縮性の、通気性の通気材料が開口を覆う請求項９に従う通気性衣服。
【請求項１１】
通気材料が有孔材料である請求項１０に従う通気性衣服。
【請求項１２】
第１部分と第２部分と第３部分とを含む周辺によって規定される非通気性カバー要素であって、該カバー要素周辺の第２部分及び第３部分が該カバー要素周辺の第１部分の両端から実質上伸延し、該カバー要素は、通気領域の少なくとも一部に実質上対応する形状を有し、かつ、該カバー要素周辺の第１部分を前記外側パネルの内面に前記通気領域の第１対応部分に実質上沿って止着するための手段、並びにカバー要素周辺の第２部分を外側パネルの内面に通気領域の第２対応部分に実質上沿って調節自在に結合する第１の調節自在の閉鎖要素、及び前記カバー要素周辺の第３部分を外側パネルの内面に前記通気領域の第３対応部分に沿って調節自在に結合する第２の調節自在の閉鎖要素を含み、前記通気領域の第２対応部分及び第３対応部分が該通気領域の第１対応部分の両端から実質上伸延する通気性カバー要素を更に含む請求項１１に従う通気性衣服。
【請求項１３】
第１及び第２閉鎖要素がジッパから成り、ジッパと通気材料との間に止着されそして通気材料の少なくとも一部を覆って横断して延在する非通気性裏当てフラップを更に含む請求項１２に従う通気性衣服。
【請求項１４】
カバー要素周辺の第４部分を外側パネルの内面に通気領域の第４対応部分に実質上沿って調節自在に結合するための第３閉鎖要素を更に含み、カバー要素周辺の第４部分がカバー要素周辺の第２及び第３部分の間を実質上伸延しそして通気領域の第４対応部分が該通気領域の第２及び第３対応部分の間を実質上伸延する請求項１２に従う通気性衣服。
【請求項１５】
外側パネルの内面における通気領域からそして通気領域の第１部分に実質上隣り合って延在するポケットを更に含む請求項１２に従う通気性衣服。
【請求項１６】
カバー要素を外側パネルの内面に止着するための手段が取り外し自在の止着要素である請求項１２に従う通気性衣服。
【請求項１７】
カバー要素を外側パネルの内面に止着するための手段が固定された止着要素である請求項１２に従う通気性衣服。
【請求項１８】
Ａ．非通気性ライニングシートにして、シートの外側境界を画定する外周境界を備えそして通気領域に形状において実質上対応する中央ボイド領域を画定する内周境界を有しそして該中央ボイド領域から外周境界まで全方向に延在する周囲領域を有し、該周囲領域が外周境界に沿って外側パネルの内面に止着され、それにより該中央ボイド領域が通気領域に実質上整列する非通気性ライニングシート、
Ｂ．第１部分と第２部分と第３部分とを含む周辺によって規定される非通気性カバー要素であって、該カバー要素周辺の第２部分及び第３部分が該カバー要素周辺の第１部分の両端から実質上伸延し、該カバー要素は、通気領域の少なくとも一部に実質上対応する形状を有し、かつ、該カバー要素周辺の第１部分を前記非通気性ライニングシートに内周境界の第１対応部分に実質上沿って止着するための手段、並びにカバー要素周辺の第２部分を非通気性ライニングシートに内側周辺境界の第２対応部分に実質上沿って調節自在に結合する第１の調節自在の閉鎖要素、及び前記カバー要素周辺の第３部分を非通気性ライニングシートに前記内側周辺境界の第３対応部分に沿って調節自在に結合する第２の調節自在の閉鎖要素を含み、前記内側周辺境界の第２対応部分及び第３対応部分が該内側周辺境界の第１対応部分の両端から実質上伸延する非通気性カバー要素、及び
Ｃ．非通気性ライニングシートの内側周辺境界を外側パネルの内面に対応して位置付けられた部分に結合するための結合手段
を更に含む請求項１１に従う通気性衣服。
【請求項１９】
第２及び第３閉鎖要素がジッパから成り、ジッパと通気材料との間に止着されそして通気材料の少なくとも一部を覆って横断して延在する非通気性裏当てフラップを更に含む請求項１８に従う通気性衣服。
【請求項２０】
カバー要素周辺の第４部分を外側パネルの内面に通気領域の第４対応部分に実質上沿って調節自在に結合するための第３閉鎖要素を更に含み、カバー要素周辺の第４部分がカバー要素周辺の第２及び第３部分の間を実質上伸延しそして通気領域の第４対応部分が該通気領域の第２及び第３対応部分の間を実質上伸延する請求項１８に従う通気性衣服。
【請求項２１】
外側パネルの内面における通気領域からそして通気領域の第１部分に実質上隣り合って延在するポケットを更に含む請求項１８に従う通気性衣服。
【請求項２２】
カバー要素を外側パネルの内面に止着するための手段が取り外し自在の止着要素である請求項１８に従う通気性衣服。
【請求項２３】
カバー要素を外側パネルの内面に止着するための手段が固定された止着要素である請求項１８に従う通気性衣服。
【請求項２４】
通気パネルを通して空気流路を確立するための手段が主面に沿って通気パネルを通して伸延する少なくとも一つの空気流れ導通溝を有する実質上非圧縮性の構造である請求項１８に従う通気性衣服。
【請求項２５】
通気パネルを通して空気流路を確立するための手段が主面に沿って通気パネルを通して伸延する少なくとも一つの実質上非圧縮性のチューブである請求項２４に従う通気性衣服。
【請求項２６】
通気パネルと外側背面パネルが一対に形成される請求項８に従う通気性衣服。
【請求項２７】
通気パネルと外側背面パネルが別個のパネルである請求項８に従う通気性衣服。
【請求項２８】
通気パネルを通して空気流路を確立するための手段が主面に沿って通気パネルを通して伸延する少なくとも一つの実質上非圧縮性のチューブである請求項８に従う通気性衣服。
【請求項２９】
通気パネルを通して空気流路を確立するための手段が
（ｉ）衣服の外側パネルに付設されそして通気パネルと流通状態にある少なくとも一つの開口を有する少なくとも一つの空気流れ取り込み要素、及び
（ｉｉ）少なくとも一つの調節自在の閉鎖要素
を更に含む請求項８に従う通気性衣服。
【請求項３０】
調節自在の閉鎖要素が通気パネルを通して空気流れを調節自在に制御するため空気流れ取り込み要素から離れた通気パネル近くに配置されるジッパである請求項２９に従う通気性衣服。
【請求項３１】
調節自在の閉鎖要素が空気流れ取り込み要素を通しての空気流れを調節自在に制御するため空気流れ取り込み要素近くに配置される選択的に係合可能なフラップ要素である請求項２９に従う通気性衣服。
【請求項３２】
空気流れ取り込み要素の開口が通気性の、非伸縮性の通気材料で覆われる請求項２９に従う通気性衣服。
【請求項３３】
空気流れ取り込み要素が衣服の外側前面パネルに付設される請求項２９に従う通気性衣服。
【請求項３４】
空気流れ取り込み要素が衣服の外側背面パネルに付設される請求項２９に従う通気性衣服。
【請求項３５】
空気流れ取り込み要素が可撓性材料から作製され、空気流れ取り込み要素の開口が空気透過性の、非伸縮性の通気材料で覆われる請求項２９に従う通気性衣服。
【請求項３６】
Ａ．ベース部分と、背面部分と、複数の支持リブと、流体流れを許容するように前記リブ、背面部分及びベース部分の間の少なくとも一つの開口を具備し、可撓性材料から作製される空気流れ取り込み要素、及び
Ｂ．前記空気流れ取り込み要素の開口を覆う空気透過性の、非伸縮性の通気材料
を備える可撓性通気組立体。
【請求項３７】
通気パネルを通して主面に沿って空気流れ通路を確立するための手段が通気パネルの主面に実質上平行な通気パネルを通しての流路を確立するための複数の導通溝若しくは通路を有する実質上非圧縮性の構造体から成る請求項８に従う通気性衣服。
【発明の詳細な説明】
（発明の背景）
本出願は、１９９４年４月１４日に米国を指定国として出願された継続中の国際出願番号ＰＣＴ／ＵＳ９４／０４１２１の部分継続出願である１９９４年１２月５日に出願された継続中の米国出願番号０８／３４９，２６９号の部分継続出願である１９９５年２月６日出願の継続中の米国出願番号０８／３８４，７７９号の部分継続出願である。
オートバイ、自転車及びある種の航空機のような高速度で移動する、比較的開放された車両を運転するとき、保護用の服装が重要である。しかし、有用であるには、保護服装は着用するに十分快適でなければならない。レザースーツやジャケットのような、そうした用途に一般に使用される衣服の多くは、通気性に乏しいが故に、我慢できないほどに不快である。乏しい通気性は暖かい或いは温和な天候の期間重大な問題となりうる。
乏しい通気性の衣服を着用することは、通気性の乏しさが多大の熱をためるから暖かい日には不快である。その結果、着用者は暖かい日には衣服を脱ぎ捨てよう。別様には、着用者は、風をいくらか取り込むために衣服の前部を部分的に開いてはだけよう。しかし、開いた衣服を着用することは高速で運転している場合には危険な場合がある。開放された衣服により取り込まれた風は、衣服の捲れ上がりや膨れをもたらし、そして着用者に不安定な力を生じる。
保護用衣服のための通気システムは斯界で知られている。例えば、ミラー（miller）等に発行された米国特許第４，６０８，７１５号は、衣服に取り付けられたジッパのような線状の閉鎖要素を有する衣服において閉鎖要素の縁からおおよそＣ形で伸びる通気性材料を備える通気性衣服を開示している。通気部は関連するジッパにより調節自在に開かれる。通気部を開いた場合、衣服は使用中歪み、着用者の体にぴったりと合わなくなる。
ブラウン（Brown）に発行された米国特許第４，５１３，４５１号は、伸縮自在のメッシュ繊維を張りわたした開口部を有する衣服を開示する。変更可能な閉鎖要素が開口部を調節自在に覆い、開口部の有効面積の選択的調整、従って開口を通しての空気流れに関しての調整を可能ならしめる。このブラウンの衣服は効果的な通気を与えるが、メッシュ繊維の伸縮性により、着用者の体にぴったりと合うとは比較的いい難い。
クラッツ（Kratz）への米国特許第４，７２２，０９９号は、衣服の様々の部位、特に腋の下や喉のようなほとんど保護を必要としない部位にメッシュ通気部を有する通気性の保護用衣服を開示する。しかし、クラッツの衣服は着用者が通気量や位置を選択的に調整することを許容しない。
従って、本発明の目的は、改善された通気システムを備える保護用衣服を提供することである。
本発明の別の目的は、着衣者への改善されたそして安定したぴったりとした着心地でもって、改善された通気システムを備える保護用衣服を提供することである。
本発明のまた別の目的は、快適感を増しそして優れたデザインの美しさ及び融通性を与える、改善された通気システムを備える保護用衣服を提供することである。
本発明の更に別の別の目的は、着衣者の体全体に通気性の改善を与える、調節自在の通気システムを備える保護用衣服を提供することである。
本発明のまた別の目的は、見た目では隠されてわからない調節自在の通気システムを備える保護用衣服を提供することである。
本発明のその他の目的や利点は添付図面及びその説明を考慮するに際して明かとなろう。
（発明の概要）
一様相において、本発明は、少なくとも一つの実質上非伸縮性の前面パネルと少なくとも一つの背面パネルとを具備し、この場合前面及び背面パネルの各々は前面パネルを通して流入しそして背面パネルを通して流出する空気流れを許容する開口を備える通気性衣服を提供する。前面パネルは、実質上非伸縮性であり、通気性のシートであり、そして前面パネル開口に実質上相当する形状を有する通気要素を備えている。通気要素は、前面パネルにその開口の周辺に沿って止着され、それにより開口を覆う。前面パネルは更に、前面パネル開口に実質上相当する形状を有するカバー要素を含んでいる。カバー要素の周辺の第１部分は、前面パネルにその開口の周辺の第１部分に実質上沿って止着される。第１の調節自在の閉鎖要素が、カバー要素の周辺の第２部分を前面パネルにその開口の周辺の第２部分に実質上沿って調節自在に結合し、そして第２の調節自在の閉鎖要素が、カバー要素の周辺の第３部分を前面パネルにその開口の周辺の第３部分に実質上沿って調節自在に結合する。カバー要素周辺の第２及び第３部分は、カバー要素周辺の第１部分の両端から伸び、そして前面パネル開口の周辺の第２及び３部分は前面パネル開口の周辺の第１部分の両端から伸びる。
一様相において、通気パネルは多孔質（有孔）材料の形態で提供される。
別の様相において、第１及び第２の調節自在の閉鎖要素はジッパの形で提供される。
また別の様相において、第３の調節自在の閉鎖要素は、カバー要素の第４部分を前面パネル開口の周辺の第４部分に結合する。この様相において、第３の閉鎖要素は、ＶＥＬＣＲＯ（商標）ファスナーのようなフック及びループ型ファスナーの形で提供されうる。
また別の様相において、背面パネルは、背面パネル開口を調節自在に閉鎖するための背面閉鎖要素を含んでいる。この様相において、背面閉鎖要素はジッパの形で設けることができる。この様相において、背面パネルもまた、背面パネル開口の実質上下側で背面パネルに止着される実質上非伸縮性の通気パネルを含みうる。この様相において、背面パネルはまた、ジッパの下側に止着されそして通気パネルの少なくとも一部を覆って延在する非通気性裏当てフラップを含むことができる。
また別の様相において、カバー要素は前面パネル開口に対応する形状を持たない。
また別の様相において、本発明は、少なくとも一つの実質上非伸縮性の前面パネルと少なくとも一つの背面パネルとを具備し、この場合前面及び背面パネルの各々は前面パネルを通して流入しそして背面パネルを通して流出する空気流れを許容する開口を備える通気性衣服を提供する。前面パネルは、実質上非伸縮性であり、通気性のシートであり、そして前面パネル開口に実質上相当する形状を有する通気要素を備えている。通気要素は、前面パネルにその開口の周辺に沿って止着され、それにより開口を覆う。前面パネルは更にカバー要素を含んでいる。カバー要素の周辺の第１部分は第１曲線に沿って前面パネルに止着される。第１の調節自在の閉鎖要素が、カバー要素の周辺の第２部分を第２曲線に沿って前面パネルに調節自在に結合し、そして第２の調節自在の閉鎖要素が、カバー要素の周辺の第３部分を第３曲線に沿って前面パネルに調節自在に結合する。第２及び３曲線は、第１曲線の両端から実質上伸延しそして第４の曲線が第２及び３曲線の第１曲線とは離れた両端の間を実質上伸延して、以て第１、２、３及び４曲線は前面パネル開口に実質上重なる周辺を形成する。
また別の様相において、本発明は、少なくとも一つの実質上非伸縮性の外側パネル、非通気性シート、調節自在の閉鎖要素で非通気性シートに調節自在に結合されるカバー要素、及びひ通気性シートを外側パネルの相当部分に結合するための結合手段を包含する通気性衣服を提供する。
非伸縮性の外側パネルは、内側表面と外側表面とそしてｎ個（ｎは整数）の開口を含む通気領域を有している。外側パネルは更に、開口を覆う実質上非伸縮性の、通気性材料を含んでいる。
非通気性シートは、シートの外周を画定する外周境界と中央ボイド領域を画定する内周境界とを具備する。本発明の好ましい形態において、中央ボイド領域は形状において通気領域の形状に実質上相当し、そして更に中央ボイド領域から外周境界まで全方向に伸びる周囲領域を有している。周囲領域は、中央ボイド領域が通気領域と実質上整列するように外側パネルの内面にボイド領域の内周境界に沿って止着される。
カバー要素は、周辺により画定されそして通気領域の形状に実質上相当する形状を有する。カバー要素の周辺の少なくとも第１部分は、非通気性シートに内周境界の第１部分に沿って止着される。第１の調節自在の閉鎖要素が、カバー要素の周辺の第２部分を非通気性シートに内周境界の第２部分に実質上沿って調節自在に結合する。第２の調節自在の閉鎖要素が、カバー要素の周辺の第３部分を非通気性シートに内周境界の第３部分に実質上沿って調節自在に結合する。カバー要素の第２及び３部分は、カバー要素の周辺の第１部分の両端から実質上伸延する。内周境界の第２及び３部分は、内周境界の第１部分の両端から実質上伸延する。
結合手段は、非通気性シートの内周境界を外側パネルの内面の相応に位置づけられた部分に結合する。
一具体例において、衣服は、カバー要素の周辺の第４部分を非通気性シートに内周境界の第４部分に実質上沿って調節自在に結合するための第３の閉鎖要素を含んでいる。カバー要素の周辺の第４部分はカバー要素周辺の第２及び３部分間を実質上伸延する。内周境界の第４部分は内周境界の第２及び３部分を間を実質上伸延する。
また別の具体例において、第３の閉鎖要素がカバー要素の周辺の第４部分を内周境界の第４部分の下側の部分に隣り合う外側パネル内側表面に調節自在に結合する。
第３閉鎖要素は、ＶＥＬＣＲＯ（商標）ファスナーのようなフック及びループ型ファスナーの形で構成されうる。
更に、内周境界の第１、２、３及び４部分は実質上中央ボイド領域の周辺の全体を構成する。
また別の具体例において、通気性衣服は更に、少なくとも一つの背面パネルを含み、これは周辺により画定される開口、及び背面パネル開口の周辺に実質上沿って背面パネルに止着される実質上非伸縮性の通気パネルを含む。背面パネルは更にその開口を調節自在に閉鎖するための背面閉鎖要素を含むことができる。この具体例において、背面閉鎖要素はジッパでありうる。
別の具体例において、結合手段はＶＥＬＣＲＯ（商標）ファスナーのようなフック及びループ型ファスナーでありうる。
更に別の具体例において、通気性衣服は更に、内周境界の第１部分に実質上隣り合う周囲領域から伸延するポケットを含む。ポケットは通気領域の少なくとも一部が露呈するときカバー要素の一部を収容しうるようになっている。
通気性シートにカバー要素を止着するための手段は、取り外し可能な止着要素もしくは固定された止着要素いずれでもよい。
本発明の上述した衣服は、調節可能な、適応した通気を提供しそして衣服の美観及び魅力を増進する。通気領域が衣服の内側から調節自在に覆われたり、開いたりしうるので、比較的高速の空気流れ中ジャケットの外側から伸びるフラップがはずれることはない。更に、隠された調節自在の通気構造は、衣服のデザインに大きな融通性を与える。外側パネルは、衣服の構造的な一体性やその通気作用いずれをも犠牲にすることなく広く様々の形、寸法及び相対位置において一つもしくは多くの通気開口でもって切り込まれうる。
本発明のまた別の様相において、開口を備える通気領域を少なくとも一つの実質上非伸縮性の外側パネルと、通気性のカバー要素を具備する通気性衣服が提供される。外側パネルは、一縁に沿ってカバーパネルを止着する内面を有する。カバーパネルの外縁は、外側パネルの内面にカバーパネルを結合する調節自在の閉鎖要素により、通気領域における通気開口を覆って調節自在に位置付け可能である。
本発明のまた別の様相において、内部領域周囲に配置可能でありそして内部領域を画定する前面及び背面を具備する通気性衣服が提供される。衣服は、その前面の少なくとも一部を形成する少なくとも一つの外側前面パネルと、その背面の少なくとも一部を形成する少なくとも一つの外側背面パネルとを備える。外側前面パネルは、内部領域に外側前面パネルを通しての空気流れを許容する通気部を含んでいる。通気パネルは、外側背面パネルから主面に沿って伸延しそしてその主面に実質上沿って衣服の内部領域からその外部の部分まで通気パネルを通しての空気流通路を確立するための手段を含んでいる。通気パネルを通しての空気流通路を確立するための手段は、その主面に沿って通気パネルを通して伸延する少なくとも一つの空気流れ導通溝もしくはチューブを具備する実質上非圧縮性の構造である。
一具体例において、カバーパネルは、衣服の前面パネルの内面に止着される。別の具体例において、カバーパネルは、衣服の内部領域の少なくとも一部に整列する非通気性シートに止着される。
本発明の上述した様相の通気性衣服は、従来より一層のデザイン融通性及び美観を衣服の増進された通気性と改善された構造一体性を組み合わせる。背面パネルから伸延する通気パネルの組み込みは、衣服の背面パネルにおける通気開口部の必要性を排除し、それにより背面パネルの構造強度、保護特性及び美観を改善する。
【図面の簡単な説明】
本発明の特質及び目的の理解のために、次の詳細な説明及び添付図面を参照されたい。図面において、同様の要素には同じ参照番号を付してある。図面において、
第１図は、本発明に従うジャケットの正面図である。
第２図は、カバー要素を開いた状態での、第１図のジャケットの正面図である。
第３図は、第１図のジャケットの背面図である。
第４図は、本発明の別の具体例に従うジャケットの正面図である。
第５図は、本発明のまた別の具体例に従うジャケットの正面図である。
第６図は、第５図のジャケットの前面パネル及び閉鎖要素及び裏当てフラップの側部断面図である。
第７図は、第５図のジャケットの前面パネルカバー要素、裏当てフラップ及び閉鎖要素の上部断面図である。
第８図は、本発明のまた別の具体例に従うジャケットの正面図である。
第９図は、第８図のジャケットの内側前面パネルの正面を示す。
第１０Ａ図は、第８図のジャケットの内側前面パネル及びフラップ閉鎖体の分解図である。
第１０Ｂ図は、第１０Ａ図に示したのとは異なったカバー要素閉鎖体配列を示す。
第１１Ａ図は、第９図の内側外部パネルの１１−１１線に沿う水平断面図である。
第１１Ｂ図は、衣服の流体不浸透性を増進するため比較的広い閉鎖要素１９０を使用する第１１Ａ図の水平断面図である。
第１１Ｃ図は、閉鎖要素１９０の替わりに裏与えフラップ１２２を使用する第１１Ａ図の水平断面図である。
第１２Ａ図は、第９図の内側前面パネルの１２−１２線に沿う垂直断面図である。
第１２Ｂ図は、第１２Ａ図に示されたカバー要素閉鎖体に対する別の形態を示す。
第１３図は、本発明の更に別の具体例に従う通気性衣服の内側前面パネルの正面図である。
第１４図は、本発明の更に別の具体例に従う背面パネルから伸延する通気パネルを有する通気性衣服の内側の正面図である。
第１５Ａ及び１５Ｂ図は、内側領域周辺に延在子そして内側領域を画定する、第１４図の衣服の１５−１５線及び第１７図のＡ−Ａ線に沿う断面図である。
第１６図は、使用者により着用された状態での第１４図の衣服の側面図である。
第１７図は、背面パネルの全幅に沿って延在する通気パネルを有する通気衣服の内側の正面図である。
第１８図は、使用者により着用された状態での第１７図の衣服の側面図である。
第１９Ａ図は、外側前面パネルが空気流れ取り込み要素を含む通気性衣服の前面パネルの斜視図である。
第１９Ｂ図は、背面パネルが空気流れ取り込み要素を含む通気性衣服の背面パネルの斜視図である。
第２０Ａ−Ｂ図は、調節自在の閉鎖要素を含む空気取り込み要素の斜視図である。
第２１図は、空気取り込み要素の正面からの斜視図である。
（例示された具体例の詳細な説明）
第１図は、本発明に従うジャケット１００の正面図である。ジャケット１００は、中央ジッパ１０２、腕１０４、及び２つの前面パネル１０６を備えている。前面パネル１０６の各々は、開口１０８（第１図には示していない）を含んでいる。開口１０８は、前面パネル１０６における縁辺１１２、１１４、１１６及び１１８により画定される。カバーパネルもしくは要素１１０が、開口１０８の部分を調節自在に覆うように前面パネル１０６に止着される。第１図に示されるように、カバーパネル１１０は両方のパネル１０６において開口１０８を全面的に被覆している。以下に記載するように、カバー要素１１０は開口１０８を全面的に或いは部分的に露呈するように調節されうる。
第１図に示されるように、カバーパネル１１０の下方部分は、前面パネル１０６に開口１０８の下端において縁辺１１２に沿って止着される。好ましい具体例において、カバーパネル１１０は、縁辺１１２に沿って前面パネル１０６に縫合されるかもしくは別様に固定して止着される。別の具体例において、カバーパネル１１０は、前面パネル１０６に縁辺１１２に沿って別法で取り付けられるか、或いはカバーパネル１１０は前面パネル１０６を構成するのと同じ材料片で形成されるる。
好ましい具体例において、カバーパネル１１０は、前面パネル１０６に縁辺１１４、１１６、１１８に沿って選択的にそして調節自在に結合される。ジッパ１２０もしくはスナップやボタンのような他の調節自在の結合具が、カバーパネル１１０を前面パネル１０６に縁辺１１４、１１６に沿って調節自在に結合する。前面パネル１０６から伸びるフラップ１２２が、カバーパネル１１０を前面パネル１０６に縁辺１１８に沿って調節自在に結合する。好ましい具体例において、フラップ１２２は、ＶＥＬＣＲＯ（商標）ファスナーのようなフック及びループ型ファスナーの使用によりカバーパネル１１０を前面パネル１０６に結合する。また別の具体例において、フラップ１２２は、ボタン、スナップ、その他の締着具によりカバーパネル１１０を前面パネル１０６に結合する。
第１図は、開口１０８を全面的に覆うカバーパネル１１０を示す。この形態では、開口１０８を通しての通気はほとんど無い。ジャケットはこの形態では寒い或いは悪天候の日に着用される。
通気が所望される時、カバーパネル１１０は、完全に開かれて第２図に示される通気要素２１０を露呈する。通気要素２１０は、比較的非伸縮性の、通気性のシート材料から作製されそして好ましくはジッパ１２０が完全に閉じられた時全面パネル１０６により提供されるのと同様の伸縮力に対する抵抗を与える。好ましい具体例において、前面パネル１０６は、レザーもしくはビニールから作製され、そして通気要素２１０は多孔質乃至有孔レザーもしくはビニールから作製される。その他の非通気性材料が同じく使用されうる。孔２１２は通気要素２１０を通しての空気流路を提供する。
第２図において、カバー要素１１０は、最大限に開放された状態で示されている。この形態において、ジッパ１２０は、最大限に開かれそしてカバーパネル１１０は収縮位置に折り畳まれている。カバーパネル１１０は、パネル繊維自体を端に巻き回すことにより収縮されうるし、別様には折りたたまれたパネルは特別に設けられた下方ポケット２１４内にくるみ込むことができる。当業者は容易に理解するように、カバーパネル１１０を部分的にのみ開放することにより或いは各パネルに対するジッパ１２０の一つのみを開くことにより通気量の低減を図ることができる。
通気要素２１０の非伸縮性により、本発明に従う衣服は、カバーパネル１１０が第２図に示されるように最大限に開放された場合でも、その形状を保持しそして着用者に改善されたぴったりとした着心地を提供する。こうした形状保持型の調節自在の通気性を有する衣服はこれまで斯界では知られていなかった。
第３図はジャケット１００の背面図を示す。好ましい具体例において、ジャケット１００は、２つの開口３１２を含む背面パネル３１０を備えている。開口３１２は、ジッパ３１４により調節自在に開閉されうる。第３図は、ジッパ３１４が最大限に開かれ、ジッパ３１４の下側にある通気要素３１６を露呈する状態を示す。幾つかの具体例においては、通気要素３１６は省略することができる。好ましくは、通気要素３１６は、前面通気要素２１０に対して使用されたのと同様の多孔質もしくは有孔レザーもしくはビニールから作製されうるし、また他の種の非通気性材料からまたナイロンメッシュのような通気性材料から作製することができる。
通気要素２１０は、衣服１００の背面パネル３１０における通気要素３１６と組み合わされるとき、通気用２１０を通しての空気の流入と開口３１２により確立される通気部を通しての空気の流出を可能とする空気流れ貫通路を確立する。かくして、開放前面通気パネル２１０と背面通気開口３１２は、空気がジャケット１００を通してまた着用者（図示なし）の体を廻って流れることを許容し、通気を与えると共に、過剰な熱の蓄積を防止する。
通気領域１０８とカバーパネル１１０は図面に全体的に四辺形として例示されている。しかし、円形、楕円形等の曲線及び／又は直線周辺を有するものを含めて、各々に対して異なった形状が使用できそして本発明の範囲内にあるものとして考慮されるべきである。
第４図は、本発明に伴うまた別の具体例の衣服４００の正面図を示す。衣服４００は、第１及び２図に示した衣服１００と全体的に同様であり、そして第１、２及び４図においては対応する要素は同じ参照番号で表示されている。主たる相違は、第４図においてはカバー要素４１０がもっと大きくそして通気要素２１０（仮想線で示され、カバーパネル４１０の下にある）と同じように形作られていないことである。当業者は容易に理解するように、カバーパネル４１０は通気要素の形状に必ずしも対応しないさまざまの形状で形成することができる。第４図に示されるカバーパネル４１０は、最大限に閉鎖され、それにより通気要素２１０を通しての空気流れを最小限とする。通気パネル２１０は、ジッパ１２０によりカバーパネル４１０を開くことにより露出させ、それによりそこを通しての空気流れを増大することができる。
着用者がカバーパネル１１０を閉じて、すなわち通気パネル２１０を覆って十分に延在して高速で移動しているとき、衣服１００の内部への空気の漏入を防止することがしばしば所望される。
第５図は、本発明の別の具体例に従う衣服１００の正面図である。この具体例では、ジッパ１２０が非通気性裏当てフラップ１２４（第５図に右側正面パネル１０６において示される）を上被している。裏当てフラップ１２４はジッパ１２０の下側で第６及び７図に詳しく示されるように通気要素２１０の一部を覆っている。通気要素２１０、裏当てフラップ１２４及びジッパ１２０はすべて縫い目１２６で縫い合わされて、第１図に示されるようにジッパ１２０が閉じられそしてカバー要素１１０が通気要素２１０を覆って全面に延在するとき、ジッパ１２０に対する空気非浸透性の裏当てを提供する。裏当てフラップ１２４は、好ましくは、空気及び湿気による浸透に耐えるビニル、レザー、もしくはプラスチックのような非浸透性材料から作製される。
裏当てフラップ１２４はまた、通気要素２１０がカバー要素１１０により完全に覆われるとき空気及び湿気に対する衣服の耐性を改善するためにボタン乃至スナップのような他の種の閉鎖要素の背後でも使用することができる。
本発明の上記具体例は各通気部を含む２つの前面パネルと通気部を有する背面パネルをいずれも含むものであるが、異なった数のパネル及び通気部を有する様々の形態が本発明において使用できることが理解されよう。また、図示されるようなカバー要素は好ましくは非伸縮性材料から作製されるが、他の形態においては、カバー要素は通気要素が衣服に対する構造的安定性を与えるから伸縮性とすることもできる。
第８図は、本発明の通気性衣服の正面のまた別の構造例を示す。中央ジッパ１０２、腕１０４及び２つの前面パネル１０６を備えるジャケット１００が例示される。各前面パネルは一つ以上の開口１０８を取り巻く通気領域（第８図ではＶで表示）を含む実質上非伸縮性の外側パネルを含んでいる。開口１０８は、ジャケット１００の内部への空気の流入を許容する任意の寸法及び形状のものとなしうる。通気要素２１０が各開口１０８を覆っている。通気要素２１０は、そこを通しての空気流路を与える孔２１２を含んでいる。すでに述べたように、通気要素は好ましくは、例えば有孔レザーやビニルのような通気性の、比較的非伸縮性のシート材料から作製される。好ましい具体例において、通気要素２１０は、縫い合わせ（第８図には示していない）その他の手段により前面パネル１０６の内側に結合される。また、好ましい具体例において、随意的なメッシュ要素１９２が通気要素２１０の下側に存在する。
第９図は、ジャケット１００の前面パネル１０６の内側を例示する。非通気性のライニングシート１９４が、前面パネル１０６の内側に付着される。シート１９４は、中央ボイド領域（縁辺１１２’、１１４’、１１６’及び１１８’により画定される）を有し、そして中央ボイド領域は通気領域と実質上整列している。
カバーパネル１１０’は、ボイド領域、従って通気開口１０８、通気要素２１０及びメッシュ要素１９２全体への調節自在の位置付けのためジャケットのライニング１９４に止着される。好ましくは、カバーパネル１１０’は、縁辺１１６’において内側ライニング１９４に縫い付けられそして縁辺１１４’及び１１２’においてジッパとして例示される閉鎖要素１２０でもって選択的に付設される。また別の具体例において、カバーパネル１１０’はライニング１９４から完全に取り外し可能とされうる。第９図に示されるように、カバーパネル１１０’はジッパ１２０を昇降することにより通気開口１０８のすべてもしくはその一部を覆って調節自在に位置付けられうる。ジッパが通気開口１０８の多くを露呈するように降ろされ、それにより空気がそこを通してジャケット内に流入して着衣者を冷やすとき、カバー要素１１０’は前面パネル１０６の下方部分に配置されるポケット２１４’内に容易に折り込まれる。ジッパは通気開口１０８をカバーパネル１１０’で完全に覆うべくその最高位置まで上昇されうる。このカバーパネル位置において、カバーパネル１１０’は、内側ライニング１９４にＶＥＬＣＲＯ（商標）ファスナーのようなフック及びループ型ファスナーとして第９図に例示される別個の閉鎖体１９０により封着されうる。閉鎖体は、閉鎖要素１１０’が通気開口１０８を覆って完全に伸延する時それに比較的空気非浸透性のシールを提供する、スナップ、ボタン、ジッパ等のような任意の他の形式の閉鎖手段であり得る。
第１０Ａ及び１０Ｂ図は、第８及び９図に示した通気性衣服の２つの同様な具体例を例示する分解図である。第１０Ａ及び１０Ｂ図に示されるように、前面パネル１０６は、衣服内部への空気の流入を可能とする３つの通気開口１０８を含んでいる。前面パネル１０６の内側で通気開口の帯域を覆って孔２１２を有する通気要素２１０が止着される。衣服の外側から、通気開口は有孔通気要素２１０を露呈し、これは大きな破片や昆虫等の侵入を防止しつつ通気開口１０８を通しての空気流れを許容する点で有用である。随意的に、第１０Ａ及び１０Ｂ図に示されるように、通気性の、軽量のメッシュ要素１９２が、前面パネル１０６の内側とメッシュ要素１９２との間に通気要素２１０を挟み込むように縫い合わせ（図示なし）でもって通気要素２１０に止着されうる。通気性の軽量メッシュ要素１９２は、例えば、ナイロンメッシュ布その他の吸気性材料でありうる。
フック及びループ締着具のような周辺閉鎖要素１９０が、前面パネル１０６の通気領域及びライニング１９４の空洞領域の周囲に止着され、以てパネル１０６のボイド領域画定縁辺がライニング１９４の通気領域画定縁辺に効果的に結合されうる。外側パネル構造はかくして、衣服１００の外側から内側へと、通気開口１０８を有する外側パネル１０６、下側有孔通気要素２１０、随意的な下側軽量通気性メッシュ布１９２、及びその縁辺を画定する閉鎖要素１９０を備える。
第１０Ａ及び１０Ｂ図において、通気要素２１０は好ましくは、外側パネル１０６の通気領域における通気開口１０８の寸法及び／又は位置と無関係に、外側パネル１０６における通気開口１０８のすべてにわたって完全に延在する寸法を有する単一のシートである。この構造は、衣服１００における通気開口１０８の配列が衣服の通気作用に悪影響を与えることなく趣向やスタイルに応じて大幅に変更することができるから、これまで得られたより一層大きなデザイン融通性及び美観を与える。更に、衣服は、外側においてではなく、ジャケットの内側において調節自在のカバーパネル１１０’の配置からもたらされる平滑な外観を有する。
衣服の内側ライニング１９４は、ナイロンのような軽量の非通気性材料から作製される。通気パネルは中央ボイド領域１８６を有するライニング１９４を備える。調節自在のカバー要素１１０’が、選択的にボイド領域１８６を覆ってフィットするようにそしてジッパでありうる閉鎖要素１２０によりその上に調節自在に止着されうるよう寸法づけられる。
既に述べたように、ジッパ１２０は、通気開口１０８’を覆ってカバーパネル１１０’の配置を調節自在に調整するため選択的に昇降でき、それにより衣服１００の通気の調節を可能とする。カバーパネル１１０’の上縁は、ライニング１９４の対応する上縁にフック及びループ締着ストリップ１９０Ａの合着セットにより或いは一つ以上のスナップ、ボタン等により止着されうる。
第１０Ａ図において、カバーパネル１１０’の上縁は、ライニング１９４に付設された別の閉鎖要素１９０Ａに止着される。また別のデザインにおいて、第１０Ｂ図に示すように、カバーパネル１１０’の上縁におけるフックストリップ１９０Ａが外側パネル構造１８０の一部であるループストリップ１９０に止着される。この後者のデザインは、追加的な閉鎖要素の使用により必要とされる布を排除することにより衣服のかさばりを少なくし、そして組み立て段階を少ないものとする。後者のデザインのカバーパネル１１０’は、その上縁が通気パネル開口１８６を通して伸延して外側パネル構造１８０の閉鎖要素１９０と係合するように適当量だけ簡単に短縮されうる。
第１１Ａ−１１Ｃ図は、第９図に示した衣服の１１−１１線に沿う水平断面を例示する。外側パネル１０６における通気開口１０８は、その内面１０６ｂに止着される通気材料２１０により張りわたされる。軽量の、通気性メッシュ１９２が、随意的に通気領域１０８の周辺（もしくはそれを越えて）及び通気材料２１０に縫い合わせ１２６でもって結合される。
フック及びループ締着要素１９０のループ部分は通気材料２１０及び随意的な通気性メッシュ布１９２を介して通気領域１０８の周辺に止着される。フック及びループ締着要素１９０のフック部分は、非通気性のライニング１９４に止着される。
調節自在の閉鎖要素１２０を両側に沿って有するカバーパネル１１０’は、閉鎖要素１２０を介してライニング１９４に調節自在に止着される。縫い合わせ１２６が様々の止着要素を互いに結合する。
第１１Ｂ図に示されるように、閉鎖要素ストリップ１９０は好ましくは、通気要素２１０の周囲縁を封止して、そこに沿っての空気漏入の防止を助成するように十分広い。第１１Ｃ図に示されるように、閉鎖要素１９０は縫い合わせ１２６により外側パネル１０６（通気要素２１０及び随意的なメッシュ要素１９２を介して）或いはライニング１９４いずれかに或いは外側パネル１０６及びライニング１９４の両方に縫い合わされる流体非浸透性の裏当てフラップ１２４を含むことができる。
第１２Ａ及び１２Ｂ図は、第９図の衣服の１２−１２線に沿う垂直断面を例示する。第１２Ａ図において、外側パネル１１０’は、その上縁においてライニング１９４に別のフック及びループ締着具１９０Ａで締着される。対照的に、第１２Ｂ図は、通気要素２１０及び随意的なメッシュ布１９２を介して通気領域１０８の周辺にライニング１９４を結合する、フック及びループ締着具１９０Ａの同じループ部分に止着されるカバーパネル１１０’を示す。ポケット２１４’が、閉鎖要素１２０が降ろされて通気領域１０８の大部分を露呈しそして衣服１００内への空気流れを許容するとき、カバーパネル１１０’の一部を収容する。
第１３図は、本発明のまた別の具体例に従う通気性衣服の前面パネルの別の構造を例示する。第９図の具体例の説明と関連して既に述べたように、カバーパネル１１０’は衣服の前面パネル１０６の内面に位置付けられる。しかし、第９図の具体例とは違って、カバーパネル１１０’は前面パネル１０６の内面１０５に直接止着され、第９図に示されたライニング１９４のようなライニングに付設されない。カバーパネル１１０’の一部は縫い合わせ１２６もしくは他の実質上固定的な手段により前面パネル１０６の内面１０５に止着される。ジッパ１２０乃至他の類似の調節自在の閉鎖要素もまた、第１３図に示されるように、縫い合わせ１２６により前面パネル１０６の内面１０５に止着されそしてカバーパネル１１０’の両側に沿って伸延する。フック及びループ締着ストリップとして第１３図に示される第３の閉鎖要素１９０Ａが好ましくは通気領域の上部近くに配置される。フック及びループ締着材料１９０Ｂの対応するストリップがフック及びループ締着ストリップ１９０Ａとの係合のためカバーパネル１１０’の上部近くに配置される。ポケット２１４’もまた、縫い合わせ１２６もしくは他の同様の斯界で知られる止着手段でもって前面パネル１０６の内面１０５に直接止着される。
第１４〜１６図は、本発明のまた別の具体例の様々の様相を例示する。第１４図に示されるように、通気性衣服１００’は、外側前面パネル１０６、外側背面パネル１０９及びスリーブ１０４を具備している。前面パネル１０６と背面パネル１０９とは、内部領域Ｒ周囲に配置されそして内部領域Ｒを画定する。外側前面パネル１０６は、衣服の前面の少なくとも一部を形成し、そして前面パネル１０６を通して内部領域Ｒへの空気流れを許容する通気部１０８を含んでいる。背面パネル１０９は衣服の背面の少なくとも一部を形成する。通気パネル１１１が、第１４図に最も明確に例示されるように、軸線Ｘ、Ｙを交差することにより定義される主面に沿って外側背面１０９から伸延する。通気パネル１１１は、内部領域Ｒから衣服の外部の地点まで主面Ｘ、Ｙに実質上沿って通気パネル１１１を通して空気流路１１３を確立するための手段を含んでいる。
好ましい具体例において、前面パネル１０６における通気開口１０８は、非伸縮性のそして通気性の、通気パネル２１０で覆われそして衣服内部に空気が流れることを許容する。カバーパネル１１０’が、前面パネル１０６の内面１０５もしくは衣服の内部に付設される非通気性ライニング（第１４図には示していない）いずれかに止着される。
通気パネル１１１は、矢印１１７の方向に通気パネル１１１を通しての空気流路を確立するため導通溝もしくは通路１１５を具備する実質上非圧縮性の溝付き構造体１１３を含んでいる。溝付き構造体１１３は好ましくは、通気パネルの主面に実質上平行な方向において貫通する導通溝もしくは通路１１５を有する比較的剛性の、非圧縮性の材料から作製される。
第１４〜１６図における通気パネル１１１は交差軸Ｘ、Ｙにより定義される面に沿って短い距離のみ伸延するものとして示されるけれども、通気パネル１１１は、第１７〜１８図に示されるように、背面パネルを通して衣服の肩近くまで延長することができる。第２０Ａ〜簿予備２１図に例示される空気流れ取り込み要素１１９が、第１８図に示されるように前面パネル１０６の肩近くにもしくは背面パネル１０９に配置されそして着用者の体に沿って或いは空気流れ通路１１３を通して衣服の背面パネルに沿って衣服内への空気流れを許容する。第１４図に一つ以上のジッパとして例示される調節自在の閉鎖要素１２３が、通気パネル１１１を通しての空気流れの容量を調整するのに使用できる。
衣服１００’が着用されているとき、通気パネル１１１を含む衣服の部分は着用者の体に沿ってぴったりとした着心地を与える。例えば通気開口１０８及び通気パネル２１０を通しての衣服１００’内への空気の侵入は、衣服を内部に捕捉した空気で膨らませる危険がある。しかし、本発明の具体例においては、第１４、１６、１７及び１８図に矢印１１７により例示されるように捕捉した空気は、衣服の内部で着用者の体に沿って下って通気パネル１１１の内部の空気流れ導通溝を通して外部へと流れる。
本衣服のデザインは、背面パネル１０９のような衣服の一枚以上のパネルにおける空気流れ出口の必要性を排除することにより衣服１００’の美観と構造的一体性を増大する。これはまた、所望されざる膨張作用を生み出すことなく着用者の体の周りに空気流通路を確立することにより着用者の必要とされるそして快適な涼しさを提供する。
通気パネル１１１の別の具体例の断面図が、第１５Ａ及び１５Ｂ図に例示される。導通溝付き構造体１１３がこうした衣服において使用のための適用な構造の布乃至材料により取り巻かれる。導通溝付き構造体１１３比較的剛性でそして非圧縮性であるので、衣服１００’が着用者の体の周りにぴったりと巻きついても、導通溝付き構造体１１３における空気流路１１５は開いた状態を保ち、通気パネルの主面に沿っての妨害のない空気流れを可能にする。導通溝付き構造体１１３は、例えば、第１５Ａ図に例示されるような成型プラスチック或いはフォーム構造でありうるし、また第１５Ｂ図に例示されるように一連の比較的剛性の中空チューブ状構造となし得る。導通溝付き構造体１１３は、レザー、ナイロン、木綿等の布に包まれるので、着用者の体を擦ったり、別様に不快感を生じることは無い。これは追加的に、湿度、汗、擦過、大きな温度片かその他からの劣化を防止するために断熱乃至絶縁層で保護されうる。
比較的剛性でそして非圧縮性の導通溝付き構造体１１３は、背面パネル１０９の面ＸＹに沿って延長されるなら、車両から振り落とされた場合でも、第１７図に示されるように着用者に対する保護層として機能しうる。第１５Ａ及び１５Ｂ図は、第１７図の線Ａ−Ａに沿う背面パネルを通して伸延する導通溝付き構造体の断面を示す。所望なら、導通溝付き構造体は、着用者の体と環境との間の熱伝達を促進するために高熱伝導性の材料から作製することができる。
空気流れ取り込み要素１１９は、取り込み要素１９９及び通気パネル１１１を通しての空気流れを調節するための調節自在の閉鎖要素１２１を含むことができる。第１９図に示されるように、空気流れ取り込み要素１１９手段は移動中そこの空気が流入することを可能とするように衣服の外側パネル１０６ないし１０９に止着することができる。取り込み手段は、比較的可撓性の、軽量材料から作製される。
第２０Ａ−Ｂ図に示されるように、調節自在の閉鎖要素１２１は、空気流れ取り込み要素１１９の開口１２５内に摩擦的に嵌入するべき適応する例えば枢着されたフラップ要素とすることができ、そして移動中そこに当たる空気流れ力によりしかるべく保持される。閉鎖要素１２１は好ましくは、それらが折り返されている時（すなわち取り込み要素開口を覆っていないとき）開口全体への空気流れに対する円滑な輪郭を提供するためまた第２０Ａ−Ｂ図に示されるように取り込み要素開口を覆っているときそこを通しての一層良好な空気漏入に対するシールを提供するように、空気流れ取り込み要素開口１２５の面を横断する軸線Ｌを中心としてわずかな曲面を有している。
第２０Ａ、２０Ｂ、２１図は、本発明のまた別の様相に従う融通性のある通気組立体１３５を例示する。この組立体は、ベース部分１２７、支持リブ１２９、背面部分１３１並びに両リブ、背面部分及びベース部分間の開口１２５を具備する空気流れ取り込み要素１１９を含んでいる。これは好ましくはゴムやプラスチックのような比較的可撓性の軽量材料から作製される。取り込み要素１１９の開口１２５は、例えば複数の孔２１２を有するレザーでありうる非伸縮性の通気性材料２１０で覆われる。矢印１１７の方向での空気流葉開口１２５を通して取り込み要素１１９に流入しそして衣服内部を着用者の体に沿って流れ、衣服の背面の通気パネルを通して衣服から流出する。空気流れ取り込み要素１１９は、例えば第１９Ａ−Ｂ図に示されるようにベース部分１２７の周囲に沿っての縫い合わせ１３３により衣服の外側パネル１０６乃至１０９に付設することができる。
第８−１２及び１３−２１図に示した具体例は例えばジャケットのような通気性衣服として例示したけれども、本発明の通気組立体は美観的なデザインの下で調整自在の、制御された通気が所望される任意の型式の衣服において具現されうることが理解されよう。例えば、本発明はまた、ベスト、ワンピース、一対の保護パンツ、頭装身具、足装身具、グローブ等において構成することができる。
本発明は、その精神及び本質的特性から逸脱することなく他の特定の形態で具現することができる。従って、これら具体例はすべての点で例示的なものでありそして制限的なものでないことを考慮すべきであり、本発明の範囲は以上の説明ではなく添付請求の範囲により指定され、そして請求の範囲の均等な意味及び範囲がそこに包括されることを意図するものである。
【図１】
0003996187.tif 000002
【図２】
0003996187.tif 000003
【図３】
0003996187.tif 000004
【図４】
0003996187.tif 000005
【図５】
0003996187.tif 000006
【図６】
0003996187.tif 000007
【図７】
0003996187.tif 000008
【図８】
0003996187.tif 000009
【図９】
0003996187.tif 000010
【図１０Ａ】
0003996187.tif 000011
【図１０Ｂ】
0003996187.tif 000012
【図１１Ａ】
0003996187.tif 000013
【図１１Ｂ】
0003996187.tif 000014
【図１１Ｃ】
0003996187.tif 000015
【図１２Ａ】
0003996187.tif 000016
【図１２Ｂ】
0003996187.tif 000017
【図１３】
0003996187.tif 000018
【図１４】
0003996187.tif 000019
【図１５Ａ】
0003996187.tif 000020
【図１５Ｂ】
0003996187.tif 000021
【図１６】
0003996187.tif 000022
【図１７】
0003996187.tif 000023
【図１８】
0003996187.tif 000024
【図１９Ａ】
0003996187.tif 000025
【図１９Ｂ】
0003996187.tif 000026
【図２０Ａ】
0003996187.tif 000027
【図２０Ｂ】
0003996187.tif 000028
【図２１】
0003996187.tif 000029